(57)【要約】【課題】確実に奥まで挿嵌しやすく、かつ、輸送中などに外れにくく、かつ、容易に外すことができるネジ口保護カバーを得る。【解決手段】ガス供給口を保護するネジ口保護カバー（１）であって、ボンベ口先先端を覆うカバー天板（１１）と、カバー天板周縁から垂下し、ボンベ口先側面の雄ネジに螺嵌可能な雌ネジを内面に有する筒状のカバー側壁（１２）と、カバー側壁下端近傍にバンドを介して接続したリング（１３）と、からなり、カバー側壁が、リングに接続するバンドの接続部周縁の左右において、平行に垂設する破断可能な側壁脆弱部（１２２）を有し、カバー天板は、バンドに対して垂直な折り曲げ用ヒンジを有し、カバー側壁とカバー天板との接続部において、バンド接続部の左右両端から、ヒンジ両端に接続した周方向に、破断可能な天板脆弱部（１１２）を有することを特徴とするネジ口保護カバー。【選択図】図１
2019147569.tif 000002
【特許請求の範囲】
【請求項１】
ガスボンベ等のガス供給口を保護するネジ口保護カバーであって、
ボンベ口先先端を覆うカバー天板と、
カバー天板周縁から垂下し、ボンベ口先側面の雄ネジに螺嵌可能な雌ネジを内面に有する筒状のカバー側壁と、
カバー側壁下端近傍にバンドを介して接続したリングと、からなり、
カバー側壁が、リングに接続するバンドの接続部周縁の左右において、平行に垂設する破断可能な側壁脆弱部を有し、
カバー天板は、バンドに対して垂直な折り曲げ用ヒンジを有し、
カバー側壁とカバー天板との接続部において、バンド接続部の左右両端から、ヒンジ両端に接続した周方向に、破断可能な天板脆弱部を有することを特徴とするネジ口保護カバー。
【請求項２】
カバー天板の折り曲げ用ヒンジが、カバー天板の中心か、中心よりもバンドから離れた位置に設けたことを特徴とする請求項１に記載のネジ口保護カバー。
【請求項３】
脆弱部が、薄肉部から形成されていることを特徴とする請求項１又は２に記載のネジ口保護カバー。
【発明の詳細な説明】
【技術分野】
【０００１】
本発明は、ガスボンベなどの高圧気体を収納するボンベの供給口のようなネジジョイントを有する口先を保護する為に被せる保護カバーに関する。
【背景技術】
【０００２】
炭酸ガスや、プロパンガス、窒素ガス、酸素ガス、天然ガス、あるいは高圧空気などを収納するボンベは、先端に圧力調整用のバルブやガス圧力を示すガスメーター、あるいは流量計などを取り付けたり、その先に使用される機器や配管に接続したりする為に、雄ネジを切った供給口を設けている場合が多い。
このような雄ネジを切った供給口に対し、運搬などによって、先端を傷めることが無いよう、通常は、一回り外側のネックリングに、鋳造した金属の保護キャップを外側に嵌合、あるいは螺合し、実際にガスが噴出可能な内側の供給口にはプラスチックのネジ口保護カバーを嵌めた状態で流通している。
このようなボンベに嵌めたネジ口保護カバーは、嵌合する機器や配管に使用されるネジが当たって痛まないように保護したり、嵌合するネジとの間に異物が入ったりして、内容物の漏れを防止する目的と共に、ボンベが未使用であるバージン性の付与を目的としている。
このようなボンベの他に、エアコンディショナーなどの熱置換用ガス配管、住宅等の内部ガス配管などにも使用される。
【０００３】
このような配管接続部等のネジの保護に使用されるネジ口保護カバーは、ネジで漏れを防ぐ為に、一般のネジに比べて細かく鋭利に刻まれているので、ネジ山がネジ口保護カバーに強く食い込み易く、外しにくい問題がある。
特に、このようなネジに使用されているネジ口保護カバーを外すには、ボンベの場合、供給口近傍のネックリングに嵌合した金属の保護キャップがある。金属の固定式保護キャップがある場合、周囲から手で握り締めることができないので、力を加えにくい問題がある。
特に、上記のごとく、ネジ口保護カバーに配管接続部等のネジが強く食い込んでいると、単に引っ張るだけでは外れて抜けないので、多くの回転を掛けて抜くか、左右に揺さぶりながら徐々に抜いていくかしかなく、非常に外しにくい問題があった。
【０００４】
以上の問題に対し、特許文献１では、切り込み溝を付けた円錐キャップの内側に、鋸歯状の抜け防止部を設け、回転防止部に引き抜き用リングを設けた、高圧ガス容器用外ネジバルブの封印キャップを提案している。
【０００５】
しかしながら、この封印キャップの場合、回転させることができないように、回転防止機構があるので、成形金型から抜けにくい。また、切り込み溝に沿って円錐キャップ側面を破断させても、天面の近傍では、内側に設けた鋸歯状の抜け防止部の変形がわずかで、抜けにくく、結果的に大きな力で無理やり引き抜くしかない問題があった。
また、円錐状の内面にキャップに鋸歯状の抜け防止部を設けているので、確実に奥まで嵌合させないで、中途半端な位置で嵌合させた状態にしまいがちであるが、その場合、輸送中の振動などによって、容易に外れてしまうなどの問題もあった。
【先行技術文献】
【特許文献】
【０００６】
【特許文献１】実用新案登録第３０８７５２２号公報
【発明の概要】
【発明が解決しようとする課題】
【０００７】
そこで、確実に奥まで挿嵌しやすく、かつ、輸送中などに外れにくく、かつ、容易に外すことができるネジ口保護カバーを得ることが本発明の課題である。
【課題を解決するための手段】
【０００８】
本発明のネジ口保護カバーは、
ガスボンベ等のガス供給口を保護するネジ口保護カバーであって、
ボンベ口先先端を覆うカバー天板と、
カバー天板周縁から垂下し、ボンベ口先側面の雄ネジに螺嵌可能な雌ネジを内面に有する筒状のカバー側壁と、
カバー側壁下端近傍にバンドを介して接続したリングと、からなり、
カバー側壁が、リングに接続するバンドの接続部周縁の左右において、平行に垂設する破断可能な側壁脆弱部を有し、
カバー天板は、バンドに対して垂直な折り曲げ用ヒンジを有し、
カバー側壁とカバー天板との接続部において、バンド接続部の左右両端から、ヒンジ両端に接続した周方向に、破断可能な天板脆弱部を有することを特徴とするネジ口保護カバーである。
【発明の効果】
【０００９】
本発明のネジ口保護カバーは、側壁内面に雌ネジを切ってあり、奥まで確実に螺合させて固定可能である。しかも、取り外す時には、リングを引っ張ることによって、バンド根元の周縁部に接続する側壁と、それに続く天板と側壁との接合を破断できるので、瞬時に、かつ、確実に側壁内部の螺合を解除し、ネジ口保護カバーをガス供給口から外すことができる。
【図面の簡単な説明】
【００１０】
【図１】本発明のネジ口保護カバーをガスボンベに装着した状態を示す概略の縦断面図である。
【図２】本発明のネジ口保護カバーで、その平面図と、正面図、と、側面図である。
【図３】本発明のネジ口保護カバーをガスボンベに装着した状態から、外す時に、保護キャップの開口部から指を入れ、リングを引き出す工程を示す縦断面図である。
【図４】本発明のネジ口保護カバーをガスボンベに装着した状態から、リングを引っ張って、側壁脆弱部と天板脆弱部を引き裂き、ネジ口保護カバーを外す工程を示す縦断面図である。
【発明を実施するための形態】
【００１１】
以下、本発明のネジ口保護カバーの実施形態例について、図を用いて詳細に説明する。本発明のネジ口保護カバー１は、図１に示すように、ガスボンベの口元や、エアコンディショナーや室内配管などのネジジョイントのネジ部等に嵌合するものである。
ネジ口保護カバー１は、ガスボンベの口元や、ネジジョイントのネジ部等にバージン性を付与したり、傷から保護したり、異物の付着を防止したりすると共に、口元に接するパッキン等の接続部品が当接する接続部に対する洗浄度の維持、異物付着や打痕等がないように保護するものである。
図１は、本発明のネジ口保護カバー１をガスボンベに装着した状態を示す概略の縦断面図である。
ガスボンベ２０の口元は、通常、金属製の鋳物等からなる保護キャップ３が装着している。
保護キャップ３は、使用時には取り外すネジで螺合されるものと、使用時にも装着した状態でいるものとがある。装着のまま使用する保護キャップの場合は、コック等が外側から
回動可能としていたり、大きな側面の開口部３１を有し、その開口部から外部へ、ガス等を供給可能としたりしている。
【００１２】
ネジ口保護カバー１は、カバー天板１１と、カバー天板１１周縁から下方に垂下したカバー側壁１２と、カバー側壁１２の一端にバンド１４を介して繋がった引っ張りリング１３と、から構成され、供給口の外ネジ部や接続部などを覆うように装着される。
カバー天板１１には、バンド１４に対して垂直な折り曲げ用ヒンジ１１１を有している。また、カバー側壁１２は、ボンベ口先側面の雄ネジに螺嵌可能な雌ネジを内面に有する筒状の側壁となっている。
この為、ネジ口保護カバー１をボンベ口先に取り付けるには、カバー側壁１２内面の雌ネジを使用して、螺合するだけで、容易に取り付けることができる。
図２は、本発明のネジ口保護カバー１で、図２−１は、ネジ口保護カバー１の平面図である。
カバー天板１１に設けられた折り曲げ用ヒンジ１１１は、カバー天板１１の中心か、中心よりもバンド１４から離れた位置に有し、かつ、バンド１４に対して垂直な向きに設けている。
また、カバー側壁１２とカバー天板１１との接続部において、バンド１４接続部周縁の左右両端から、ヒンジ両端に接続した周方向に、破断可能な天板脆弱部１１２を有している。
さらに、バンド１４に接続したカバー側壁１２の接続部左右両端において、カバー側壁１２下端からカバー天板１１接続部までの平行に垂設する、破断可能な側壁脆弱部１２２を有している。
【００１３】
図２−２は、本発明のネジ口保護カバー１の正面図である。
バンド１４を介してリング１３に接続したカバー側壁１２の接続部左右両端の側壁脆弱部１２２によって切り裂き可能な切り裂き側壁部１２１が、天板の切り裂き天板部１１３に繋がっている。
さらに、切り裂き天板部１１３は、折り曲げ用ヒンジ１１１を介して、カバー側壁１２に固定された天板１１と連結している。
【００１４】
図２−３は、本発明のネジ口保護カバー１の右側面図である。
リング１３に接続するバンド１４の接続部周縁の左右において、カバー側壁１２下端からカバー天板１１接続部まで、平行に垂設する、破断可能な側壁脆弱部１２２を有している。
そして、平行な側壁脆弱部１２２に囲まれた切り裂き側壁部１２１は、上端がカバー天板１１に連結し、下端がバンド１４を介してリング１３に連結している。
図３は、本発明のネジ口保護カバー１をガスボンベに装着した状態から、外す時に、保護キャップ２の開口部２１から指を入れ、リング１３を引き出す工程を示す縦断面図である。
固定式の保護キャップ２には、天面側にバルブを回動可能にする開口部を有している他に、側面にも開口部２１を有していることが一般的である。
この開口部２１から手を入れて、リング１３に指を掛け、リング１３を引っ張ることができる。
【００１５】
図４は、本発明のネジ口保護カバー１をガスボンベに装着した状態から、リング１３を引っ張って、側壁脆弱部と天板脆弱部を引き裂き、ネジ口保護カバー１を外す工程を示す縦断面図である。
リング１３を引っ張って、バンド１４を介して、バンド１４に連結している切り裂き側壁部１２１下端を強く引っ張ると、左右の側壁脆弱部が引き裂かれる。
側壁脆弱部が上端まで引き裂かれると、切り裂き側壁部１２１に連結している切り裂き天
板部１１３の外周端部を持ち上げることができるので、切り裂き天板部１１３の左右両端からヒンジ両端に向かって天板脆弱部が引き裂かれる。
天板脆弱部は引き裂かれて、ヒンジ１１１両端まで引き裂かれると、ヒンジ１１１を軸に、切り裂き天板部１１３が回動可能となる。
この時、ヒンジ１１１は、カバー天板の中心か、中心よりもバンドから離れた位置に設けられているので、切り裂き側壁部１２１が切り取られたカバー側壁１２は、半分未満の周縁でしか、ボンベ口元のネジ部を抱え込んでいないので、ボンベ口元は側壁から外れやすくなっている。
この時、リング１３を引っ張ると、リング１３に連結しているバンド１４や切り裂き側壁部１２１、切り裂き天板部１１３を貫く力が、天板部の中心、もしくは中心よりもバンドから離れた位置に設けられた折り曲げ用ヒンジ１１１の中心に集中し、ネジ口保護カバー１全体を引っ張ることができる。
この為、ネジ口保護カバーを、バランスよく、容易に外すことができる。
【００１６】
本発明のネジ口保護カバーに使用する材料は、直鎖状低密度ポリエチレンが好ましいが、低密度ポリエチレン、中密度ポリエチレン、高密度ポリエチレン、などを混合して用いても良い。
脆弱部は、金型で薄肉部分を作成し、引き裂いて破断しやすくしておくことが好ましい。この時、キャビ側やスライドで薄肉部を形成してもかまわないが、コア側に設け、２段突き出しで対応してもかまわない。
つまり、上記成形用樹脂を用い、ネジ口保護カバーの製造は、コア回転と２方スライド、あるいは２段突き出し機構を有する射出成形金型を用い、一般的な射出成形機で量産することができる。
【００１７】
本発明のネジ口保護カバーは、以上のようなもので、ガスボンベや都市ガスなどの供給口に対するネジ口保護カバーとして、未使用を示すバージン性の付与や、傷から保護したり、異物の付着を防止したりすると共に、口元に接するパッキン等の接続部品が当接する接続部に対する洗浄度の維持、異物付着や打痕等がないように保護する用途にも用いることができる。
また、燃料ガスだけではなく、他のエアコンディショナーや熱置換用ガス配管、住宅等の内部ガス配管などのガス管の繋ぎのネジ口にも使用することができる。
さらに、本発明のネジ口保護カバーは、通常の射出成形機で生産が可能で、生産性も高く、安価に、大量に生産が可能であるなど、本発明のメリットは大きい。
【符号の説明】
【００１８】
１・・・・・・・・ネジ口保護カバー
１１・・・・・・・カバー天板
１１１・・・・・・ヒンジ（折り曲げ用ヒンジ）
１１２・・・・・・天板脆弱部
１１３・・・・・・切り先天板部
１２・・・・・・・カバー側壁
１２１・・・・・・切り裂き側壁部
１２２・・・・・・側壁脆弱部
１３・・・・・・・リング（引っ張りリング）
１４・・・・・・・バンド
２０・・・・・・・ガスボンベ
３・・・・・・・・保護キャップ
３１・・・・・・・側面の開口部
【図１】
2019147569.tif 000003
【図２】
2019147569.tif 000004
【図３】
2019147569.tif 000005
【図４】
2019147569.tif 000006